(57)【要約】【課題】作用面を有する複数の筐体で構成される折り畳み装置の展開状態において、作用効率の向上および外観品位の向上を図ることができる連結装置を提供すること。【解決手段】複数の筐体と、該複数の筐体面に施された作用面と、前記複数の筐体を連結し、相互に回動展開させる連結部とを有する連結装置において、前記作用面が略同一面上に回動展開された状態では、前記連結部は前記同一面より突出しない位置まで退避することを特徴とする。【選択図】図１（ａ）
2016133183.tif 000002
【特許請求の範囲】
【請求項１】
複数の筐体と、該複数の筐体面に施された作用面と、前記複数の筐体を連結し、相互に回動展開させる連結部とを有する連結装置において、前記作用面が同一面上に回動展開された状態では、前記連結部は前記同一面より突出しない位置まで退避することを特徴とする連結装置。
【請求項２】
前記連結部は、回動軸と、該回動軸周りに付加された弾性部材と、前記回動軸の軸方向に作用する該弾性部材の弾性力により前記回動軸の軸方向および前記回動軸の軸方向と垂直方向に滑動可能に取り付けられた可動部材から構成されていることを特徴とする請求項１に記載の連結装置。
【請求項３】
前記可動部材は、前記筐体に設けられた係合部と係合することで、前記回動軸の軸方向と垂直方向に移動することを特徴とする請求項１に記載の連結装置。
【請求項４】
前記係合部は、前記可動部材の軸部に嵌合する溝部または前記可動部材の溝部に嵌合する軸部であることを特徴とする請求項３に記載の連結装置。
【請求項５】
前記作用面は、吸着面であることを特徴とする請求項１に記載の連結装置。
【請求項６】
前記作用面は、表示面であることを特徴とする請求項１に記載の連結装置。
【発明の詳細な説明】
【技術分野】
【０００１】
本発明は、複数の筐体で構成された折り畳み装置で、特に折り畳み式デジタルカメラに用いられる連結装置に関する。
【背景技術】
【０００２】
折り畳み機構を搭載した装置は、折り畳むことによって展開時と比べて装置全体が大幅に小型化されるとともに、展開面が保護されるため携帯に便利である。このような折り畳み機構を搭載した装置には携帯電話、デジタルカメラ、モバイル型ゲーム機、タブレット型端末などが多く存在する。
【０００３】
また、折り畳み型のモバイル型ゲーム機やタブレット端末には展開面の両面にタッチパネル付き表示装置を有したものがあり、多くの情報を一度に表示しながら処理の操作をすることができるようになっている。
【０００４】
折り畳み装置の構成として、特許文献１に折り畳み式携帯電子機器のヒンジ装置が開示されている。特許文献１で開示されているヒンジ装置を有する折り畳み式携帯電子機器では、互いに展開可能な第一の筐体と第二の筐体がそれぞれ液晶パネルを搭載しており、画像表示と操作面表示が兼用できるようになっている。また、展開状態において第一の筐体の液晶パネルおよび第二の筐体の液晶パネルの両方を表示面にすることで、より大画面での表示が可能な構成となっている。
【先行技術文献】
【特許文献】
【０００５】
【特許文献１】特開２００９−２１２６８３号公報
【発明の概要】
【発明が解決しようとする課題】
【０００６】
しかしながら、上述の特許文献１に開示された構成によれば、展開状態において、第一の筐体と第二の筐体の表示面が同一面上に展開されないため、二画面での画像再生をしたい場合には、二画面に渡って均一な画像表示ができず画像を見づらいという問題があった。また、特許文献１に開示された構成において、第一の筐体と第二の筐体の展開面が操作面である場合には、同様の理由により、二画面をまたがって操作するときスムーズな操作が行えないという問題があった。
【０００７】
本発明は、こういった問題に鑑み、作用面が表示面で二画面の広い面積で画像再生をしたい場合には均一な画面表示を達成し画像が見やすくなるようにできる連結装置を提供することを目的とする。さらには、携帯型ゲーム機等で、二画面をまたがって操作をしたい場合にスムーズな操作を実行できる連結装置を提供することを目的とする。また、例えば作用面が吸着面である場合は、展開面の両面を作用面として被着面に吸着させたいときに、連結部の突出による吸着妨害や吸着力の低下がなく、広範囲な吸着面積を確保できることで吸着力の高い連結装置を提供することを目的とする。また、装置を折り畳んだときに、吸着面である作用面が内側になる構成なので、意図せぬ吸着や、塵や埃の付着による吸着力の低下を防止できる連結装置を提供することを目的とする。
【課題を解決するための手段】
【０００８】
上記の目的を達成するために、本発明の連結装置は、複数の筐体と、該複数の筐体面に施された作用面と、前記複数の筐体を連結し、相互に回動展開させる連結部とを有する連結装置において、前記作用面が略同一面上に回動展開された状態では、前記連結部は前記同一面より突出しない位置まで退避することを特徴とする。
【発明の効果】
【０００９】
本発明の連結装置によれば、作用面が表示面で二画面の広い面積で画像再生をしたい場合に段差や突出部のない均一な表示面が得られるため視認性を向上させることが可能となっている。さらには、携帯型ゲーム機等で、二画面をまたがって操作をしたい場合にスムーズな操作を実行することが可能となる。また、例えば作用面が吸着面である場合は、展開面の両面を作用面として被着面に吸着させたいときに、連結部の突出による吸着妨害や吸着力の低下がなく、広範囲な吸着面積を確保できることで吸着力の高い連結装置の提案が可能となる。また、装置を折り畳んだときに、吸着面である作用面が内側になる構成なので、意図せぬ吸着や、塵や埃の付着による吸着力の低下を防止することが可能となる。
【図面の簡単な説明】
【００１０】
【図１（ａ）】本発明の実施形態である連結装置を備えた折り畳み式デジタルカメラの折り畳み状態における斜視図
【図１（ｂ）】本発明の実施形態である連結装置を備えた折り畳み式デジタルカメラの展開状態における斜視図
【図２（ａ）】本発明の実施形態である折り畳み式デジタルカメラを上面から見た図
【図２（ｂ）】本発明の実施形態である折り畳み式デジタルカメラを左側面から見た図
【図２（ｃ）】本発明の実施形態である折り畳み式デジタルカメラを正面から見た図
【図２（ｄ）】本発明の実施形態である折り畳み式デジタルカメラを右側面から見た図
【図３（ａ）】本発明の実施形態である折り畳み式デジタルカメラの説明図
【図３（ｂ）】本発明の実施形態である折り畳み式デジタルカメラの断面図
【図４】本発明の実施形態である折り畳み式デジタルカメラの説明図
【図５（ａ）】筐体３２０と筐体３３０が折り畳まれた状態を示す図
【図５（ｂ）】筐体３２０と筐体３３０の展開角度が略９０度の状態を示す図
【図５（ｃ）】筐体３２０と筐体３３０の展開角度が略９０から略１８０度までの状態を示す図
【図５（ｄ）】筐体３２０と筐体３３０の展開角度が略１８０度の状態を示す図本発明の実施形態である折り畳み式デジタルカメラの使用状態を説明する断面図
【図５（ｅ）】筐体３２０と筐体３３０が折り畳まれた状態での本発明の実施形態である折り畳み式デジタルカメラの使用状態を説明する断面図
【図５（ｆ）】筐体３２０と筐体３３０の展開角度が略９０度の状態での本発明の実施形態である折り畳み式デジタルカメラの使用状態を説明する断面図
【図５（ｇ）】筐体３２０と筐体３３０の展開角度が略９０度から略１８０度までの状態での本発明の実施形態である折り畳み式デジタルカメラの使用状態を説明する断面図
【図５（ｈ）】筐体３２０と筐体３３０の展開角度が略１８０度の状態での本発明の実施形態である折り畳み式デジタルカメラの使用状態を説明する断面図
【発明を実施するための形態】
【００１１】
以下に、本発明の好ましい実施の形態を、添付の図面に基づいて詳細に説明する。
【００１２】
まず、図１と図２を用いて本発明の連結装置を備えた折り畳み式デジタルカメラの部品構成の概要を説明する。図１（ａ）は、本発明の連結装置を備えた折り畳み式デジタルカメラの折り畳み状態における斜視図、図１（ｂ）は、本発明の連結装置を備えた折り畳み式デジタルカメラの展開状態における斜視図、図２（ａ）は本発明の連結装置を備えた折り畳み式デジタルカメラを上面から見た図、図２（ｂ）は本発明の連結装置を備えた折り畳み式デジタルカメラを左側面から見た図、図２（ｃ）は本発明の連結装置を備えた折り畳み式デジタルカメラを正面から見た図、図２（ｄ）は本発明の連結装置を備えた折り畳み式デジタルカメラを右側面から見た図である。
【００１３】
図１および図２において、３は本発明の連結装置を備えた折り畳み式デジタルカメラである。３２０、３３０は折り畳み式デジタルカメラを構成する筐体であり、３４０は撮影レンズ、３５０はシャッターボタンである。３００は筐体３２０と筐体３３０を連結するヒンジ部であり、請求項でいうところの連結装置である。筐体３２０と筐体３３０はヒンジ部３００の中心軸Ｐを中心にして相互に回動展開可能となっている。
【００１４】
ヒンジ部３００は、回動展開する筐体３３０と一体的に中心軸Ｐの軸垂直方向へスライドし、展開状態で筐体３２０と３３０は相互に同一面となる面を有する。３０１はガイド軸であり、請求項でいうところの回動軸である。３０２はガイド軸受けであり、筐体３３０に設けられている。ガイド軸３０１はその両端をガイド軸受け３０２によって軸方向および半径方向に保持されている。３０４、３０５はガイド軸３０１と後述する圧縮コイルばね３０３を覆うカバー部材である。カバー部材３０４、３０５は請求項でいうところの可動部材である。３２１ａ、３２１ｂは筐体３２０に設けられた溝である。
【００１５】
次に、図３および図４を用いて本発明の連結部の構成について説明する。図３（ａ）は本発明の連結部の内部構造を説明するためのＡ−Ａ断面位置を示す図であり、図３（ｂ）は本発明の連結部の内部構造を説明するためＡ−Ａ断面を示す図であり、筐体３２０と筐体３３０との位置関係は図２（ｃ）と同じ状態である。図４は図３（ａ）における断面Ｂ−Ｂ図であり、領域Ｃの部分のみを拡大して示している。
【００１６】
３０３は圧縮コイルばねであり、請求項でいうところの弾性部材である。圧縮コイルばね３０３の中空部Ｏにガイド軸３０１が貫通しており、圧縮コイルばね３０３はガイド軸３０１の軸方向に伸縮可能となっている。また、３０４ａはカバー部材３０４に設けられた内壁、３０５ａはカバー部材３０５に設けられた内壁である。圧縮コイルばね３０３の両端は内壁３０４ａ、３０５ａにそれぞれ当接している。圧縮コイルばね３０３が内壁３０４ａ、３０５ａに当接していることにより、圧縮コイルばね３０３の伸長に伴い内壁３０４ａ、３０５ａは圧縮コイルばね３０３の伸長方向へ押され、カバー部材３０４、３０５も同方向へ移動する。
【００１７】
３０６はカバー部材３０４、３０５に一体的に設けられたピン部である。ピン部３０６は例えばＳＵＳなど、高硬度の材質でできている。ピン部３０６はカバー部材３０４、３０５に一体的に設けられているため、カバー部材３０４、３０５と一体的に移動する。３０７はピン３０６の先端に施された球部であり、請求項でいうところの係合部である。球部３０７はピン部３０６と一体的に移動する。３２１は筐体３２０に設けられた溝部であり、請求項でいうところの係合部である。溝部３２１には、ピン部３０６が嵌合し、ピン部３０６の移動を案内するように形成されている。
【００１８】
また、図４に示すように、溝部３２１は、ピン部３０６がはずれないように斜形状になっており、開口部は球３０７の球径よりも小さくなっている。このような構成により、ピン部３０６は溝部３２１からはずれることなく移動することができる。本実施例では球部３０７と溝部３２１で説明したが、ピン部３０６が案内されて抜けない構成であればどのような形状でも構わない。また、本実施例では球部３０７はピン部３０６に一体的に施され、溝部３２１を摺動しながら移動する構成としているが、球部３０７はピン部３０６に対して回転可能に設けられ溝部３２１を転動しながら移動する構成でも構わない。
【００１９】
３２０ａは筐体３２０の外壁、３３０ａは筐体３３０の外壁であり、筐体３２０と筐体３３０が折り畳まれている状態にて対向関係にある。本実施例の構成では、外壁３２０ａと外壁３３０ａは折り畳み状態において当接している。
【００２０】
以上が本発明の折り畳み装置の構成である。
【００２１】
次に、本発明の折り畳み装置の折り畳み動作およびそのときのヒンジ部３００の詳細な動きについて図５を用いて説明する。図５（ａ）〜（ｄ）は本発明の連結装置を備えた折り畳み式デジタルカメラが折り畳み状態から略１８０度まで展開する状態を正面から見た図と、各状態における断面位置を示した図である。図５（ｅ）〜（ｈ）は、図（ａ）〜（ｄ）に図示されている断面位置を図中矢印方向から見たときの断面図であり、筐体３２０と筐体３３０およびヒンジ３００の相互の位置関係は図５（ａ）〜（ｄ）に対応している。
【００２２】
図５（ａ）および図５（ｅ）の折り畳み状態では、外壁３２０ａと外壁３３０ａは互いに当接している。外壁３２０ａと外壁３３０ａが互いにストッパーの役割をしているため、図５（ａ）および図５（ｅ）の状態では筐体３２０と筐体３３０の相対位置に変化はない。また、圧縮コイルばねの伸長も間接的に規制されている。また、外壁３２０ａと外壁３３０ａは当接しているため、筐体３３０は筐体３２０に対して矢印Ｓ方向への移動を規制されている。
【００２３】
図５（ｂ）に示すように、筐体３３０が筐体３２０に対して矢印Ｕ方向に展開されると、図５（ｂ）および図５（ｆ）に示すように、筐体３３０とヒンジ部３００の矢印Ｔ方向への移動規制が解除され、カバー部材３０４、３０５は筐体３２０に対して矢印Ｖ方向に移動可能となる。カバー部材３０４、３０５が矢印Ｖ方向へ移動すると、ピン部３０６および球部３０７は溝部３２１に沿って移動するためピン部３０６および球３０７は矢印Ｖ方向とともに矢印Ｔ方向にも移動可能となる。圧縮コイルばね３０３の伸縮規制も解除されるため、圧縮コイルばね３０３はガイド軸３０１の軸方向（矢印Ｖの方向）へ伸長を開始する。
【００２４】
内壁３０４ａ、内壁３０５ａと圧縮コイルばね３０３の端部との当接部は圧縮コイルばね３０３の伸長に伴い矢印Ｖ方向へ押され、ガイド軸３０１に案内されながらガイド軸受け３０２に突き当たりその移動を規制されるまで滑動する。このとき、カバー部材３０４、３０５に一体的に設けられたピン部３０６および球部３０７も圧縮コイルばね３０３が伸長する力により、ともに矢印Ｖの方向へ移動する。溝部３２１が斜面形状になっているためコイルばねの伸長力はＶ方向への移動に働くとともに、Ｔ方向への移動を誘導するようにも働き、球部３０７は溝部３２１の斜面に沿って矢印Ｖ方向と同時に矢印Ｔ方向へも摺動する。すなわち、筐体３３０、ガイド軸３０１、ガイド軸受け３０２、圧縮コイルばね３０３、カバー部材３０４、３０５はピン部３０６、球部３０７と一体的に矢印Ｔ方向へ移動する。
【００２５】
カバー部材３０４、３０５がガイド軸受け３０２に突き当たることにより、筐体３３０の矢印Ｔ方向への移動も規制される。
【００２６】
また、筐体３３０の、筐体３２０に対する回転角度は不図示の回転規制部材により別に規制されるため、カバー部材３０４、３０５がガイド軸受け３０２に突き当たることにより矢印Ｖ方向および矢印Ｔ方向の移動が規制された後でも、筐体３０３は図５（ｂ）に示す展開状態から図５（ｄ）に示す展開状態の間の任意の展開角度で回転可能な構成となっている。
【００２７】
また、図５（ｄ）および図５（ｈ）に示すように、筐体３２０と筐体３３０の展開角度が略１８０度の状態において、圧縮コイルばね３０３の伸長力により圧縮コイルばね３０３の端部に当接している内壁３０４ａ、内壁３０５ａが矢印Ｖ方向へ押されるとともに矢印Ｔ方向にも移動し、カバー部材３０４、３０５がガイド軸受け３０２に突き当たるとき、外壁３２０ａと外壁３３０ａは略同一面になる。このように、筐体３３０とヒンジ部３００は、筐体３２０に対して展開しながら矢印Ｔ方向へ退避移動するため、外壁３２０ａと外壁３３０ａが作用面である場合、ヒンジ部３００は外壁３２０ａと外壁３３０ａが成す略同一面上から突出することがなく、作用面の作用効果を向上させる効果がある。
【００２８】
例えば外壁３２０ａと外壁３３０ａが表示面である場合、筐体３２０と筐体３３０が略同一面上に展開したときに、筐体３３０の外壁３３０ａとヒンジ部３００が筐体３２０の外壁３２０ａより突出しないことで、二画面表示で画像再生をしたい場合に段差や突出部のない均一な表示面が得られるため視認性を向上させることが可能となっている。
【００２９】
また、例えば携帯型ゲーム機のように、外壁３２０ａと外壁３３０ａが操作面であり、かつ筐体３２０と筐体３３０を略１８０度展開させた状態において、二画面をまたがって操作をしたい場合に、ヒンジ部３００が略同一面よりも突出していないためスムーズな操作を実行することが可能となる
また、例えば外壁３２０ａと外壁３３０ａが吸着面であり、かつ筐体３２０と筐体３３０を略１８０度展開させた状態において面３２０ａと面３３０ａを被着物体に吸着させたい場合も、ヒンジ部３００は外壁３２０ａと外壁３３０ａが成す略同一面上から突出することがないため、吸着面への吸着を妨げたり、吸着面の不十分な吸着による吸着力不足を生じることなく、広範囲な吸着面積を確保でき、吸着力を向上させることができる。
【００３０】
なお、本実施例では、２つの筐体で構成された折り畳み式デジタルカメラの構成を説明したが、構成する筐体は３つ以上、ヒンジ部は２つ以上でも実施可能であり、同様の効果が得られる。
【００３１】
また、本実施例では、筐体３２０の外壁３２０ａおよび筐体３３０の外壁３３０ａのどちらも作用面として説明したが、作用面はどちらか一つの面でも構わない。
【符号の説明】
【００３２】
３  折り畳み機器、３００  ヒンジ部、３０３  圧縮コイルばね、
３０４，３０５  カバー部材、３０６  ピン、３０７  ボール、
３０１  ガイド軸、３０２  ガイド軸受け、３２１  溝部、
３２０ａ  筐体３２０の外壁、３３０ａ  筐体３３０の外壁
【図１（ａ）】
2016133183.tif 000003
【図１（ｂ）】
2016133183.tif 000004
【図２（ａ）】
2016133183.tif 000005
【図２（ｂ）】
2016133183.tif 000006
【図２（ｃ）】
2016133183.tif 000007
【図２（ｄ）】
2016133183.tif 000008
【図３（ａ）】
2016133183.tif 000009
【図３（ｂ）】
2016133183.tif 000010
【図４】
2016133183.tif 000011
【図５（ａ）】
2016133183.tif 000012
【図５（ｂ）】
2016133183.tif 000013
【図５（ｃ）】
2016133183.tif 000014
【図５（ｄ）】
2016133183.tif 000015
【図５（ｅ）】
2016133183.tif 000016
【図５（ｆ）】
2016133183.tif 000017
【図５（ｇ）】
2016133183.tif 000018
【図５（ｈ）】
2016133183.tif 000019